(57)【要約】【課題】内容物の移し替えを定量かつ簡単な操作で行うことができる、注出器用ヘッドを備えるポンプ容器及びそれに用いる注出器を提案する。【解決手段】本発明のポンプ容器Ａは、内容物の充填空間Ｍを有する容器本体１０と、容器本体１０の口部１１に固定保持され、ヘッド３０への押し込み、復帰動作にて作動するポンプ２０と、充填空間Ｍの底壁を形成するとともに内容物の充填容量が減るにしたがい充填空間Ｍの上部へ向けてスライドする中皿１６とを備え、ヘッド３０は、注出器Ｂのシリンジ６０を倒立姿勢にて保持する凹部３４を有し、凹部３４の底部に、シリンジ６０の先端開口６３に合わさるとともにヘッド３０の押し込みに伴って注出される内容物を先端開口６３からシリンジ６０内に充填する注出口３５を設けたことを特徴とする。【選択図】図１
2013133156.tif 000002
【特許請求の範囲】
【請求項１】
充填空間から注出させる内容物を、シリンジ及びロッドからなる注出器に移し替えるポンプ容器において、
前記ポンプ容器は、内容物の充填空間を区画形成する容器本体と、該容器本体の口部に固定保持され、その上部に設けたヘッドへの押し込み、復帰動作にて作動するポンプと、充填空間の底壁を形成するとともに内容物の充填容量が減るにしたがい充填空間の上部へ向けてスライドする中皿とを備え、
前記ヘッドは、前記シリンジを倒立姿勢にて保持する凹部を有し、該凹部の底部に、該シリンジの先端開口に合わさるとともに該ヘッドの押し込みに伴って注出される内容物を該先端開口からシリンジ内に充填する注出口を設けたことを特徴とする、注出器用ヘッドを備えるポンプ容器。
【請求項２】
前記ヘッドは、前記凹部を区画形成するドーム壁の周面に、前記シリンジを嵌合保持する凸部を有する、請求項１に記載の注出器用ヘッドを備えるポンプ容器。
【請求項３】
請求項２に記載のポンプ容器に用いる注出器であって、前記シリンジは、前記凸部に係合する突起を有する注出器。
【発明の詳細な説明】
【技術分野】
【０００１】
本発明は、内容物の充填容量が減るにしたがい中皿が上昇するポンプ容器に関するものであり、特に、充填空間内の内容物を注出器に移し替えるにあたって用いられる注出器用ヘッドを備えるポンプ容器、及びそれに用いる注出器に関する。
【背景技術】
【０００２】
化粧料や整髪料、また各種の薬剤等を入れる容器としては、ポンプを装着したものが多数上市されている。特に、ポンプの吸引口を容器の口部の直下に位置せしめ、内容物が取り出されるにしたがい中皿を該吸引口へ上昇させて内容物の充填空間を狭めるようにしたポンプ容器（例えば、特許文献１参照）によれば、ヘッドを押し込む簡単な操作で内容物を注出させることができる上、充填空間内に空気が入り込むおそれを極力排除できるので、内容物を衛生的に保存することが可能である。
【先行技術文献】
【特許文献】
【０００３】
【特許文献１】実開平５−３４１５５号公報
【発明の概要】
【発明が解決しようとする課題】
【０００４】
ところで、この種のポンプ容器は、ヘッドの注出口から注出される内容物を、手のひら等で受けて使用することを想定した構成となっていることが一般的であって、他の用途、例えば少量吐出に用いて好適な、シリンジ及びロッドからなる注出器へ内容物を移し替えることを意図したものは、未だ実用化されていないのが現状であった。
【０００５】
本発明の課題は、内容物の充填容量が減るにしたがい中皿が上昇するポンプ容器に関し、ポンプ容器内の内容物を注出器へ移し替えるにあたって、定量の内容物を移し替えることができ、しかも簡単な操作でこれを行うことができる、新たな注出器用ヘッドを備えるポンプ容器、及びそれに用いる注出器を提案するところにある。
【課題を解決するための手段】
【０００６】
本発明は、充填空間から注出させる内容物を、シリンジ及びロッドからなる注出器に移し替えるポンプ容器において、
前記ポンプ容器は、内容物の充填空間を区画形成する容器本体と、該容器本体の口部に固定保持され、その上部に設けたヘッドへの押し込み、復帰動作にて作動するポンプと、充填空間の底壁を形成するとともに内容物の充填容量が減るにしたがい充填空間の上部へ向けてスライドする中皿とを備え、
前記ヘッドは、前記シリンジを倒立姿勢にて保持する凹部を有し、該凹部の底部に、該シリンジの先端開口に合わさるとともに該ヘッドの押し込みに伴って注出される内容物を該先端開口からシリンジ内に充填する注出口を設けたことを特徴とする、注出器用ヘッドを備えるポンプ容器である。
【０００７】
前記ヘッドは、前記凹部を区画形成するドーム壁の周面に、前記シリンジを嵌合保持する凸部を有することが好ましい。
【０００８】
上述したポンプ容器に用いる注出器おいて、前記シリンジは、前記凸部に係合する突起を有することが好ましい。
【発明の効果】
【０００９】
本発明に係るポンプ容器は、内容物の充填空間を区画形成する容器本体と、容器本体の口部に固定保持されるポンプと、充填空間の底壁を形成するとともに内容物の充填容量が減るにしたがい充填空間の上部へ向けてスライドする中皿とを備えるものであり、さらに、ヘッドに、シリンジを倒立姿勢にて保持する凹部を設け、凹部の底部に、シリンジの先端開口に合わさるとともにヘッドの押し込みに伴って注出される内容物をその先端開口からシリンジ内に充填する注出口を設けたことを特徴とするものである。これにより、シリンジをヘッドの凹部に装着し、ヘッドを直接、又はシリンジを介してヘッドを押し込むことで、内容物に触れることなくシリンジ内に容易に移し替えることができる。しかも、ポンプ容器からは毎回定まった量の内容物を注出させることができるので、シリンジに目盛り等がなくても押し込み回数に応じて所期した量の内容物を移し替えることができる。
【００１０】
凹部を区画形成するドーム壁の周面に、シリンジを嵌合保持する凸部を設ける場合は、詰替え作業中にポンプ容器から注出器が外れてしまう不具合を、極力抑えることができる。
【００１１】
シリンジに、ドーム壁の周面に設けた凸部に係合する突起を設ける場合は、注出器が不用意に外れてしまうおそれをより一層抑えることができる。
【図面の簡単な説明】
【００１２】
【図１】本発明に従うポンプ容器及び注出器の実施の形態につき、注出器をポンプ容器に取り付ける前の側面視での断面図である。
【図２】図１に示すポンプ容器からオーバーキャップを取り外した状態を示す図である。
【図３】図２に示すポンプ容器に注出器を倒立姿勢で取り付けた状態を示す図である。
【図４】図３に示す状態から、ヘッドへの押し込み、復帰動作を繰り返して、内容物を注出器内に充填する状態を示す図である。
【図５】図４に示す状態から注出器を取り外した状態を示す図である。
【発明を実施するための形態】
【００１３】
以下、図面を参照して、本発明をより具体的に説明する。
図１は、本発明に従うポンプ容器及び注出器の実施の形態につき、注出器をポンプ容器に取り付ける前の側面視での断面図であって、図２は、図１に示すポンプ容器からオーバーキャップを取り外した状態を示す図であって、図３は、図２に示すポンプ容器に注出器を倒立姿勢で取り付けた状態を示す図であって、図４は、図３に示す状態から、ヘッドへの押し込み、復帰動作を繰り返して、内容物を注出器内に充填する状態を示す図であって、図５は、図４に示す状態から注出器を取り外した状態を示す図である。
【００１４】
図１において、符号Ａは、内容物の移し替え元となるポンプ容器であり、符号Ｂは、内容物の移し替え先となる注出器である。
【００１５】
図１に示すポンプ容器Ａにおいて、符号１０は、容器本体である。容器本体１０は、上部を開孔させた筒状の口部１１を有し、この口部１１に肩部１２を介して円筒状の胴部１３を一体連結している。肩部１２には、口部１１を取り囲んで起立する周壁１４を設けている。また、胴部１３の下端には、図示の例ではアンダーカットによって固定保持されるカバー体１５を設けている。そして、カバー体１５の上部には、胴部１３の内周面に対して摺動可能かつ液密に当接する中皿１６を設けている。これにより、容器本体１０の内側には、中皿１６を底壁とする内容物の充填空間Ｍが形成される。
【００１６】
符号２０は、ポンプである。ポンプ２０は、充填空間Ｍにつながる貫通開口２１ａを有し、この貫通開口２１ａを取り囲んで起立するシリンダー本体２１ｂを備えるシリンダー部２１と、貫通開口２１ａ上に配設される吸い込み弁２２と、シリンダー本体２１ｂの内側に設けられた筒状のピストン２３と、ピストン２３の内側に位置するステム２４と、シリンダー部２１の上部に設けられ、後述するヘッドを抜け出し不能に保持する保持体２５とを備えている。
【００１７】
シリンダー部２１は、口部１１をその中央部に設けた貫通開口２１ａを残して閉鎖するとともに、シリンダー本体２１ｂを一体連結する閉鎖壁２１ｃを備えている。また、閉鎖壁２１ｃの径方向外側の端縁には、下向き開放の環状空間を形成するとともに径方向外側に延在するフランジを有する嵌合部２１ｄを一体連結して設けていて、この環状空間に口部１１を挿入して嵌合保持されている。また、嵌合部２１ｄのフランジにおける径方向外側の端縁には、周壁１４の内周面と係合するとともに、後述するオーバーキャップを、その上部にて着脱自在に保持する案内部２１ｅを備えている。
【００１８】
吸い込み弁２２は、例えば３点弁の形態となるものであり、充填空間Ｍ内の内容物がシリンダー本体２１ｂの内側へ流入する向きには貫通開口２１ａを開栓させる一方、内容物の反対向きの流れに対しては貫通開口２１ａを閉栓させるものである。
【００１９】
ピストン２３は、同心二重配置となる２つの筒体がそれらの中間部で連結された形状をなすものである。そして、その外周側の筒体を、シリンダー本体２１ｂに摺動可能かつ液密に当接させるとともに、その内周側の筒体は、ステム２４との間にごく僅かな隙間を設けている。これにより、ステム２４は、ピストン２３に対してほとんど抵抗なくスライドする。
【００２０】
ステム２４は、図示の例では有底筒状をなし、その下部に径方向外側に延在するフランジを一体連結するステム本体２４ａを備えている。そして、そのフランジをピストン２３の内周側の筒体の下端に液密に当接させている。また、ステム本体２４ａの側壁には、その表裏を貫通する吐出孔２４ｂを備えている。
【００２１】
保持体２５は、上向き開放の環状空間を形成する保持体本体部２５ａを備えている。保持体本体部２５ａの径方向外側には、外向き爪部２５ｂを設けている。
【００２２】
符号３０は、ヘッドである。図示の例でヘッド３０は、リング状の天壁３１を有し、天壁３１の径方向外側の端縁には環状の外周壁３２を備えている。また、外周壁３２の下端には、外向き爪部２５ｂに係合する内向き爪部３２ａを備えている。そして、天壁３１の径方向内側の端縁には、ドーム壁３３を設けていて、ドーム壁３３の内側空間は、上向き開放となる凹部３４となっている。ここで、ドーム壁３３の上部には、下方から上方に向かって拡径する傾斜壁３３ａが設けられ、ドーム壁３３の中間部には、図示の例では環状となる凸部３３ｂが設けられている。また、凹部３４の底部には、ドーム壁３３を貫通して、ステム本体２４ａの内側空間と凹部３４とを連通させる注出口３５を備えている。さらに、ドーム壁３３の下面側には、ステム本体２４ａを取り囲み、これを嵌合保持する環状保持部３６を備えている。なお、環状保持部３６の下端部は、保持体本体部２５ａの内周面と摺動可能に当接しており、ヘッド３０が上下動する際のガイドとして機能する。また、外周壁３２と、ドーム壁３３及び環状保持部３６との相互間には、周方向に間隔をあけて複数個設けられる補強壁３７を設けている。ここで、補強壁３７は、段部３７ａ及び傾斜部３７ｂを介して外周壁３２と連結している。
【００２３】
符号４０は、ポンプ２０とヘッド３０の相互間に設けられ、ヘッド３０に常時上方への付勢力を与える復帰ばねである。図示の例で復帰ばね４０は、その下端部を、保持体本体部２５ａにおける上向き開放の環状空間に配設し、その上端部を、環状保持部３６と段部３７ａとの相互間に配設している。
【００２４】
符号５０は、ヘッド３０を取り囲んで有頂筒状となるオーバーキャップである。図示の例でオーバーキャップ５０は、案内部２１ｅにアンダーカットにて着脱自在に保持されているが、それらの相互にねじを設けて保持するようにしてもよい。
【００２５】
また、図１に示す注出器Ｂにおいて、符号６０は、シリンジである。シリンジ６０は、半球状の先端部６１と円筒状の胴部６２とを連結して、それらの内側に、移し替えられた内容物の収納空間Ｎ（図４及び図５参照）を形成している。シリンジ６０の先端には、収納空間Ｎ内にポンプ容器Ａから注出する内容物を充填するともに、その内容物を後述するロッドの押し込みにて注出させる先端開口６３を設けている。また、胴部６２の後端には、径方向外側に延在するフランジ６４を一体連結している。さらに、胴部６２の先端側には、図示の例では環状となる突起６２ａを設けている。なお、ヘッド３０の凸部３３ｂと突起６２ａとは、何れか一方が周方向に間隔をあけた間欠状のものであってもよい。
【００２６】
符号７０は、シリンジ６０の内周面と摺動可能かつ液密に当接するロッドである。ロッド７０は、シリンジ６０の先端部６１及び胴部６２の内周面に対応する外面形状となるロッド本体７１を有し、ロッド本体７１の後端には、径方向外側に延在するフランジ７２を一体連結している。
【００２７】
上記の構成となるポンプ容器Ａ及び注出器Ｂを用いて、ポンプ容器Ａから注出器Ｂに内容物を移し替えるにあたっては、図２に示すように、ポンプ容器Ａのオーバーキャップ５０を取り外した状態で、図３に示すように、注出器Ｂを、先端開口６３を下方に向けた倒立姿勢にて、ヘッド３０の凹部３４に挿入する。凹部３４の上部には、傾斜壁３３ａを設けているので、注出器Ｂを容易に挿入することができる。ここで、凹部３４を形成するドーム壁３３の外面形状は、シリンジ６０の外面形状に対応するように設けているので、注出器Ｂの先端開口６３は、その直下に位置するポンプ容器Ａの注出口３５に対して位置決めされた状態で挿入される。
【００２８】
また、本実施の形態のように、ヘッド３０に凸部３３ｂを設け、凸部３３ｂでシリンジ６０の胴部６２を嵌合保持する場合は、シリンジ６０がヘッド３０から簡単に外れてしまう不具合を有効に防止することができる。さらに、シリンジ６０に突起６２ａを設ける場合は、凸部３３ｂと突起６２ａとを係合させて、倒立姿勢のシリンジ６０の倒れ込みを抑えることができるので、注出器Ｂが不用意に外れてしまうおそれをより一層抑えることができる。
【００２９】
その後、図４に示すように、ヘッド３０又はシリンジ６０のフランジ６４を押し込むと、ヘッド３０に連結するステム２４が、ピストン２３に対して優先的に押し下げられ、シリンダー本体２１ｂの内側空間と、ステム本体２４ａの内側空間とが、吐出孔２４ｂを通して連通する。その後は、ピストン２３もヘッド３０とともに押し下げられるので、シリンダー本体２１ｂ内の内容物が加圧され、内容物は吐出孔２４ｂから注出口３５を通して注出され、直接、先端開口６３を通してシリンジ６０内に充填される。
【００３０】
その後、ヘッド３０又はシリンジ６０のフランジ６４への押し込みを解除すると、復帰ばね４０の作用下で、ヘッド３０は上昇を開始する。上昇の開始時において、ステム２４はピストン２３に対して優先的に押し上げられるので、ピストン２３の下端とステム２４が当接して、吐出孔２４ｂが閉鎖される。そしてヘッド３０が元の位置まで上昇するにあたって、シリンダー本体２１ｂの内部空間は負圧となり、吸い込み弁２２が開栓して、充填空間Ｍ内の内容物がシリンダー本体２１ｂ内に流入し、これに伴い、中皿１６も上昇する。そして、この押し込み、復帰動作を繰り返すことで、所期した量の内容物を注出器Ｂに移し替えることができる。その後は、図５に示すように注出器Ｂをポンプ容器Ａから取り外して、ロッド７０を押し込むことで、少量の内容物を所期した通りに注出させることができる。
【産業上の利用可能性】
【００３１】
本発明によれば、ポンプ容器から注出器へ、定量の内容物を移し替えることができ、しかも、この移し替えを簡単な操作の下で行うことができる。
【符号の説明】
【００３２】
１０  容器本体
１１  口部
１６  中皿
２０  ポンプ
３０  ヘッド
３３  ドーム壁
３３ｂ  凸部
３４  凹部
３５  注出口
６０  シリンジ
６２ａ  突起
６３  先端開口
７０  ロッド
Ａ    ポンプ容器
Ｂ    注出器
Ｍ    充填空間
【図１】
2013133156.tif 000003
【図２】
2013133156.tif 000004
【図３】
2013133156.tif 000005
【図４】
2013133156.tif 000006
【図５】
2013133156.tif 000007